(57)【要約】【課題】良好な断熱性能を有し、かつ製造コストを抑え得る。【解決手段】蓋体１４の外郭を構成する外蓋部材４０には、該外蓋部材４０の外縁にインテグラルヒンジ６０を介して繋がり、該外蓋部材４０の裏側から外れた展開状態で保持体１６が一体形成される。外蓋部材４０の裏側に配設される第２断熱部材４２には、容器本体１２の出し入れ口１３に臨む位置に、通口５４が開設されている。保持体１６は、インテグラルヒンジ６０で折り返して外蓋部材４０の裏側に重なると共に、該外蓋部材４０と第２断熱部材４２との間から、通口５４を介して該第２断熱部材４２の裏側に臨むように配設される。これにより、第２断熱部材４２の外縁部裏面には、蓋体１４の閉成時に、容器本体１２の出し入れ口１３の開口縁に位置する第１当接面３０に当接する第２当接面５２が設けらる。【選択図】図３
2015147600.tif 000002
【特許請求の範囲】
【請求項１】
容器本体と、該容器本体の出し入れ口を開閉可能な蓋体と、該蓋体の裏側で物品を出し入れ可能に保持し得る保持体とを備えた断熱容器において、
前記蓋体の外郭を構成する外蓋部材と、
前記外蓋部材の裏側に配設され、前記蓋体の閉成時に外縁部裏面が前記容器本体の出し入れ口開口縁に当接する断熱部材と、
前記外蓋部材の外縁にインテグラルヒンジで繋げて該外蓋部材と一体形成されると共に、外蓋部材の裏側より外れた展開状態から前記インテグラルヒンジで折り返して該外蓋部材の裏側に重ねた設置状態で保持される前記保持体とを備え、
前記保持体は、前記設置状態において、前記外蓋部材の外縁から該外蓋部材と断熱部材との間を通って、該断熱部材に前記出し入れ口の開口内側に対応して形成された通口を介して断熱部材の裏側に延出するように配設される
ことを特徴とする断熱容器。
【請求項２】
前記保持体は、前記外蓋部材の裏側に一体形成された固定部により、前記設置状態で該外蓋部材の裏側に保持される請求項１記載の断熱容器。
【請求項３】
前記保持体は、前記断熱部材の裏側に延出した物品保持部が、該断熱部材に対し弾力的に接離すると共に、該物品保持部で該断熱部材を押さえて支持するよう構成される請求項１または２記載の断熱容器。
【請求項４】
前記断熱部材は、前記外蓋部材の裏側に一体形成された係止部により、該外蓋部材の裏側に保持される請求項１〜３の何れか一項に記載の断熱容器。
【発明の詳細な説明】
【技術分野】
【０００１】
この発明は、蓋体の裏側で物品を出し入れ可能に保持し得る保持体を備えた断熱容器に関するものである。
【背景技術】
【０００２】
保冷または保温を要する食品を一般家庭等の顧客へ宅配する販売方式では、保冷または保温し得る断熱構造の断熱容器を顧客先の玄関等に設置して、配達した食品を該断熱容器に収容して一時保管するようになっている。特許文献１に開示の断熱容器は、温度を保った状態で食品を収容可能な収容空間が画成された容器本体と、容器本体に姿勢変位可能に配設されて、該容器本体の上部に形成された出し入れ口を開閉可能な蓋体とを備えている。そして、断熱容器は、容器本体から蓋体を開けることで収容空間への食品の出し入れが可能となり、蓋体を容器本体に閉じることで収容空間内に食品が収容される。ここで、断熱容器は、容器本体および蓋体に断熱部材が配設されており、収容空間に収容した食品の温度変化を抑えるようになっている。
【０００３】
また、特許文献１に開示された断熱容器は、販売業者から顧客宛の請求書や販売チラシ等(以降、「シート状物品」という)を差し込んで保持可能なポケット部材を備えている。このポケット部材は、蓋体の裏面に配設されて、該蓋体の裏面との間に前方へ開口する保持空間を画成する。これにより、ポケット部材は、蓋体を開いた状態において上方から保持空間へ差し込んだシート状物品を保持可能となっている。
【先行技術文献】
【特許文献】
【０００４】
【特許文献１】特開２００３−２３７８１５号公報
【発明の概要】
【発明が解決しようとする課題】
【０００５】
特許文献１の断熱容器の蓋体は、外蓋部材と、内蓋部材と、外蓋部材および内蓋部材の間に配設される断熱部材とからなり、内蓋部材を外蓋部材に係止することで、断熱部材が内蓋部材で被覆された状態で保持されている。このため、容器本体に蓋体を閉じた際には、硬い材質の容器本体および内蓋部材が当接する構造であることから、該蓋体と容器本体との密着性が低い難点がある。また、ポケット部材は、外蓋部材および内蓋部材とは別体に形成されて、内蓋部材に係止して固定されるようになっている。すなわち、特許文献１の断熱容器は、内蓋部材が、断熱部材を保持すると共にポケット部材も保持するために必要不可欠な部材であるため、蓋体を構成する部材の点数が多くなると共に、該蓋体の重量が嵩むので開閉操作を行い難い欠点がある。
【０００６】
また、特許文献１の断熱容器は、蓋体を構成する外蓋部材、内蓋部材およびポケット部材が別体であるため、成形型が多くなることから設備費用が高額になって製造コストが嵩む難点がある。また、成形型が多くなれば、型交換に係る段取り作業が増えると共に成形作業工数も増えるので、製造効率が低下して製造コストが更に嵩む要因となっている。更に、構成部材の点数が多いため、部材管理が面倒になる難点もある。
【０００７】
そこで、本発明は、従来の技術に係る断熱容器に内在している前記課題に鑑み、これらを好適に解決するべく提案されたものであって、良好な断熱性能を有し、かつ製造コストを抑えることができる断熱容器を提供することを目的とする。
【課題を解決するための手段】
【０００８】
前記課題を解決し、所期の目的を達成するため、本願の請求項１に係る発明は、
容器本体と、該容器本体の出し入れ口を開閉可能な蓋体と、該蓋体の裏側で物品を出し入れ可能に保持し得る保持体とを備えた断熱容器において、
前記蓋体の外郭を構成する外蓋部材と、
前記外蓋部材の裏側に配設され、前記蓋体の閉成時に外縁部裏面が前記容器本体の出し入れ口開口縁に当接する断熱部材と、
前記外蓋部材の外縁にインテグラルヒンジで繋げて該外蓋部材と一体形成されると共に、外蓋部材の裏側より外れた展開状態から前記インテグラルヒンジで折り返して該外蓋部材の裏側に重ねた設置状態で保持される前記保持体とを備え、
前記保持体は、前記設置状態において、前記外蓋部材の外縁から該外蓋部材と断熱部材との間を通って、該断熱部材に前記出し入れ口の開口内側に対応して形成された通口を介して断熱部材の裏側に延出するように配設されることを要旨とする。
請求項１に係る発明によれば、外蓋部材の外縁にインテグラルヒンジを介して繋がる保持体が、外蓋部材の外縁から外蓋部材と断熱部材との間を通って、該断熱部材に出し入れ口の開口内側に対応して形成された通口を介して断熱部材の裏側に延出するように配設されているから、断熱部材の外縁部裏側に保持体が延在してしない。すなわち、蓋体の閉成時に、容器本体の出し入れ口開口縁に断熱部材の外縁部が当接する際に、保持体が邪魔にならず、容器本体の出し入れ口開口縁に対して直接当接する断熱部材により蓋体と容器本体との間をより確実に封止することができる。従って、断熱容器の断熱性能を向上し得る。また、外蓋部材と保持体とを一体形成する構成であるから、外蓋部材と保持体とを同一の成形型で型成形することが可能となり、外蓋部材と保持体との夫々に成形型を準備する必要がなく、成形型数が減ると共に型の段取り替えの手間などが減って、製造コストを低減することができる。そして、保持体が外蓋部材の外縁にインテグラルヒンジを介して繋がり、保持体を外蓋部材の裏側から外れた展開状態からインテグラルヒンジで折り返して設置状態とする構成であるから、保持体の展開状態で型成形することで、型構成を簡単にすることができると共に、外蓋部材の裏面や保持体に、互いに固定する爪などの適宜構成を設定することも可能となる。そして、断熱容器を構成する部材点数が減るので部材管理が容易になる。
【０００９】
請求項２に係る発明では、前記保持体は、前記外蓋部材の裏側に一体形成された固定部により、前記設置状態で該外蓋部材の裏側に保持されることを要旨とする。
請求項２に係る発明によれば、外蓋部材に一体形成した固定部で保持体を設置状態で直接保持する構成であるから、保持体の保持に要する構成を最小限に抑えることができる。また、保持体の展開状態で外蓋部材と該保持体とを一体形成できるので、外蓋部材の裏側の型構造が保持体により制約を受けず、例えば固定部を、保持体の保持に最適な形状や位置で設定する等、型成形に際して自由度が高い。
【００１０】
請求項３に係る発明では、前記保持体は、前記断熱部材の裏側に延出した物品保持部が、該断熱部材に対し弾力的に接離すると共に、該物品保持部で該断熱部材を押さえて支持するよう構成されることを要旨とする。
請求項３に係る発明によれば、断熱部材の裏側に延出するよう配設された保持体の物品保持部で断熱部材を押さえるので、該断熱部材を安定して保持することができる。また、物品保持部が断熱部材に対して弾力的に接離するので、該物品保持部と断熱部材との間に対する物品の出し入れが容易であると共に、物品保持部で物品をより確実に保持することができる。
【００１１】
請求項４に係る発明では、前記断熱部材は、前記外蓋部材の裏側に一体形成された係止部により、該外蓋部材の裏側に保持されることを要旨とする。
請求項４に係る発明によれば、外蓋部材に一体形成した係止部で断熱部材を該外蓋部材に直接保持する構成であるから、断熱部材の保持に要する構成を最小限に抑えることができる。また、保持体の展開状態で外蓋部材と該保持体とを一体形成できるので、外蓋部材の裏側の型構造が保持体により制約を受けず、例えば係止部を、断熱部材の保持に最適な形状や位置で設定する等、型成形に際して自由度が高い。
【発明の効果】
【００１２】
本発明に係る断熱容器によれば、良好な断熱性能を有すると共に、製造コストを抑えることができる。
【図面の簡単な説明】
【００１３】
【図１】容器本体から蓋体を開いた実施例の断熱容器を、前右上方から見た斜視図である。
【図２】容器本体に蓋体を閉じた実施例の断熱容器を、前上方から見た斜視図である。
【図３】図２のＸ１−Ｘ１線断面図である。
【図４】図２のＸ２−Ｘ２線断面図である。
【図５】(ａ)は、図４のＸ３−Ｘ３線断面図であり、(ｂ)は、図４のＸ４−Ｘ４線断面図である。
【図６】図３のＸ５−Ｘ５線断面図である。
【図７】蓋体を構成する外蓋部材および第２断熱部材と、該外蓋部材に一体形成された保持体とを示す斜視図である。
【図８】(ａ)は、外蓋部材に一体形成された保持体の展開状態を示す断面図であり、(ｂ)は、該保持体の設置状態を示す断面図である。
【図９】蓋体の組み立て工程を示す説明斜視図であって、(ａ)は、展開状態の保持体を第２断熱部材の挿通口に挿通させる状態を示し、(ｂ)は、第２断熱部材を、回転させながら展開状態の保持体の外面に沿わせる状態を示し、(ｃ)は、第２断熱部材を沿わせた保持体を設置状態に変位させて、該第２断熱部材および保持体を外蓋部材の裏側へ保持させた状態を示している。
【発明を実施するための形態】
【００１４】
次に、本発明に係る断熱容器につき、好適な実施例を挙げて、添付図面を参照して以下に説明する。実施例では、容器本体の上部に蓋体が配設されると共に、蓋体の後部が容器本体の後側上部に支持されて開閉する構成の断熱容器を例示する。なお、断熱容器の左右、前後および上下は、断熱容器を正面から見た状態で指称する。
【実施例】
【００１５】
(断熱容器)
実施例の断熱容器１０は、図１〜図３に示すように、第１の物品である食品Ｂを出し入れ可能に収容する収容空間１２ａが画成された容器本体１２と、この容器本体１２に姿勢変位可能に配設され、収容空間１２ａの出し入れ口１３を開閉可能な蓋体１４とを備えている。また、断熱容器１０は、蓋体１４の裏側である収容空間１２ａ側に、販売業者から顧客宛の請求書や販売チラシ等の第２の物品であるシート状物品Ｓを出し入れ可能に保持する保持体１６を備えている。
【００１６】
(容器本体)
容器本体１２は、図１および図３に示すように、該容器本体１２の外郭をなす外箱部材２０と、外箱部材２０の内側に配設される内箱部材２２と、該外箱部材２０および内箱部材２２の間に画成された空間に配設される第１断熱部材２４とから構成されて断熱構造になっている。外箱部材２０は、上方が開口した有底箱体である。外箱部材２０は、合成樹脂(例えば、ポリエチレン(ＰＥ)やポリプロピレン(ＰＰ))製である。内箱部材２２は、上方が開口した有底箱体であり、収容空間１２ａの底部および側部を構成する。内箱部材２２は、合成樹脂(例えば、ポリエチレン(ＰＥ)やポリプロピレン(ＰＰ))製であり、外箱部材２０より一回り小さいサイズに形成されている。内箱部材２２の上縁、すなわち出し入れ口１３の開口縁は、水平外方へ延出して第１当接面３０が形成されている。この第１当接面３０の外縁が、外箱部材２０の外縦板部２０ｂの上縁と嵌合するようになる。
【００１７】
第１断熱部材２４は、図３に示すように、発泡合成樹脂(例えば、発泡ポリスチレンや発泡ポリウレタン)製である。第１断熱部材２４は、外箱部材２０および内箱部材２２により画成される空間の形状に予め発泡成形したものであっても、外箱部材２０および内箱部材２２により画成される空間内に発泡材料を注入して該空間内で発泡成形したものであってもよい。
【００１８】
(蓋体)
蓋体１４は、図１および図２に示すように、収容空間１２ａの出し入れ口１３を閉じた閉成状態(図２)および該出し入れ口１３を開いた開放状態(図１)に姿勢変化する。蓋体１４は、図３および図４に示すように、容器本体１２の外箱部材２０の後側上部に設けられた支持台２６,２６の軸支持筒２６ａ,２６ａに後部が支持され、該軸支持筒２６ａ,２６ａを中心に回転可能となっている。蓋体１４は、該蓋体１４の外郭を構成する外蓋部材４０と、該外蓋部材４０の裏側に配設される第２断熱部材(断熱部材)４２とを備えた二重構造となっている。なお、以降の蓋体１４の説明においては、該蓋体１４の閉成状態(図２、図３参照)を基準として、左右、前後および上下を指称する。
【００１９】
(外蓋部材)
外蓋部材４０は、図１〜図４および図７に示すように、下方へ開口した部材であり、矩形平坦状の天面をなす外天板部４０ａと、該外天板部４０ａを囲み、外天板部４０ａの外縁から下方へ延出した庇状の外縁板部４０ｂとからなる。外蓋部材４０は、合成樹脂(例えば、ポリエチレン(ＰＥ)やポリプロピレン(ＰＰ))製であり、型成形により外天板部４０ａおよび外縁板部４０ｂが一体形成されている。そして、外縁板部４０ｂの開口縁が、外箱部材２０の外周縁より一回り大きくなっている。
【００２０】
図３、図４、図５(ａ)、図７および図８に示すように、外蓋部材４０における外天板部４０ａの裏側には、第２断熱部材４２に嵌合する第１係止フック(係止部)４４が複数(実施例では２つ)立設されている。各第１係止フック４４は、外蓋部材４０の外天板部４０ａの裏側における前後中央より前側において、左右に離間して設けられている。各第１係止フック４４は、外天板部４０ａの裏側から下方へ延出した脚部４４ａと、脚部４４ａの先端に設けられた係止鉤部４４ｂとからなっている。脚部４４ａは、外天板部４０ａと連設する基部に対し、係止鉤部４４ｂ側が左右方向へ変位するよう弾性変形が可能になっている。係止鉤部４４ｂは、その先端側が尖っていると共に、脚部４４ａに対して該脚部４４ａの弾性変形方向へ突出した鉤状をなしている。すなわち、左側の第１係止フック４４は、係止鉤部４４ｂが脚部４４ａより左方へ突出しており、右側の第１係止フック４４は、係止鉤部４４ｂが脚部４４ａより右方へ突出している。
【００２１】
図３、図４、図５(ｂ)、図６〜図８に示すように、外蓋部材４０における外天板部４０ａの裏側には、保持体１６に嵌合する第２係止フック(固定部)４６が複数(実施例では２つ)立設されている。各第２係止フック４６は、外蓋部材４０の外天板部４０ａの裏面における前後中央より後側において、左右に離間して設けられている。各第２係止フック４６は、外天板部４０ａの裏側から下方へ延出した脚部４６ａと、脚部４６ａの先端に設けられた係止突部４６ｂとからなっている。係止突部４６ｂは、その先端側が尖っていると共に、脚部４４ａに対して左方および右方へ突出した鉤状をなしている。各第２係止フック４６の脚部４６ａおよび係止突部４６ｂは、前後方向に貫通するように肉抜きがなされており、左右幅が狭くなるよう弾性変形が可能となっている。
【００２２】
図１〜図３および図７に示すように、外蓋部材４０の外縁板部４０ｂには、第２係合部５０が、容器本体１２の外箱部材２０の前側上部に設けられた第１係合部２８に対し係脱可能に係止するように設けられている。第２係合部５０は、外縁板部４０ｂの前壁部における左右中央に、下方へ延出すると共に左右に延在する板状部分であり、外縁板部４０ｂに対して下端側が前後に変位するように弾性変形が可能となっている。第２係合部５０は、蓋体１４が閉成状態において第１係合部２８に引っ掛かり、蓋体１４を閉成状態に保持する。また、蓋体１４の閉成状態において、第１係合部２８に係止した第２係合部５０の下部を前方へ付勢することで、第１係合部２８と第２係合部５０との引っ掛かりが解除され、開放状態に向けた蓋体１４の姿勢変位を可能とする。
【００２３】
(第２断熱部材)
第２断熱部材４２は、図３、図４および図７に示すように、外蓋部材４０における裏側凹部に収容可能な板状のブロック体である。第２断熱部材４２は、容器本体１２の出し入れ口１３の開口サイズより大きく、該容器本体１２に設けられた第１当接面３０の外縁輪郭形状と略同じ輪郭形状に形成されている。第２断熱部材４２は、発泡合成樹脂(例えば、発泡ポリスチレンや発泡ポリウレタン)製であり、断熱性を有している。そして、第２断熱部材４２は、その外縁部裏面に第２当接面５２を備えており、蓋体１４の閉成時に、第２当接面５２が、第１当接面３０に面接触して当接するようになっている(図３、図４、図６参照)。すなわち、第２断熱部材４２は、第２当接面５２と第１当接面３０とが面接触することで、収容空間１２ａの上壁部を画成する。なお、第２断熱部材４２は、第２当接面５２が形成された外縁部よりも、収納空間１２ａに臨む部分の厚みが大きくなっている(図３、図４、図７参照)。
【００２４】
第２断熱部材４２は、蓋体１４の閉成時に、容器本体１２の第１当接面３０に追従して変形可能に構成されている。すなわち、第２断熱部材４２は、その厚み方向に弾性変形や圧縮変形などするよう、外蓋部材４０や容器本体１２を構成する合成樹脂のソリッド体よりも硬くないものが採用される。なお、第２断熱部材４２として発泡合成樹脂を用いる場合、硬質、半硬質、軟質の何れであってもよい。
【００２５】
第２断熱部材４２には、図３〜図７に示すように、該第２断熱部材４２の厚み方向に貫通する通口５４が形成されている。この通口５４は、第２断熱部材４２において、蓋体１４の前後中央より後方へ偏った位置で、かつ出し入れ口１３に臨む位置に開設され、収容空間１２ａに開口している。通口５４は、保持体１６が挿通可能な開口サイズおよび開口形状に開設されており、実施例では左右に細長い長孔となっている。すなわち、通口５４は、左右方向の開口幅が、保持体１６における物品保持部６４(保持板部７０および取付板部６６)の左右幅以上で、かつ前後方向の開口幅が、該物品保持部６４の最大厚み以上となっている。また、通口５４は、その前後方向における開口幅が、収容空間１２ａ側よりも外蓋部材４０の外天板部４０ａ側が大きくなっており、収容空間１２ａ側から外天板部４０ａ側に向けて拡開した形状となっている(図３参照)。
【００２６】
第２断熱部材４２には、図３、図４、図５(ａ)および図７に示すように、該第２断熱部材４２の厚み方向に貫通する差し込み口５６が、複数(実施例では２つ)形成されている。各差し込み口５６は、第２断熱部材４２において、蓋体１４の前後中央より前方へ偏った位置で、左右に離間して配置されている。各差し込み口５６は、外蓋部材４０の外天板部４０ａの裏側に突設された前述の各第１係止フック４４が差し込み可能な開口サイズおよび開口形状に開設されており、実施例では前後に細長い長孔となっている。すなわち、各差し込み口５６は、左右方向の開口幅が、対応する第１係止フック４４における係止鉤部４４ｂの左右幅以上で、かつ前後方向の開口幅が、該係止鉤部４４ｂの前後幅以上となっている。また、各差し込み口５６は、その前後方向における開口幅が、収容空間１２ａ側よりも外蓋部材４０の外天板部４０ａ側が大きくなっており、収容空間１２ａ側から外天板部４０ａ側に向けて拡開した形状となっている(図３参照)。特に、各差し込み口５６は、第２断熱部材４２の厚み方向中間から外天板部４０ａ側が後方へ拡開している。これは、後述するように、第２断熱部材４２を沿わせた保持体１６を、展開状態から外蓋部材４０の裏側へ折り返した設置状態へ姿勢変位させる際に、第１係止フック４４が第２断熱部材４２に引っ掛かるのを防止して、保持体１６の設置状態への変位を阻害しないようにするためである。
【００２７】
各差し込み口５６内には、係止段部５６ａが形成されている(図４、図５(ａ)参照)。係止段部５６ａには、第２断熱部材４２を外蓋部材４０にセットする際に、差し込み口５６に差し込まれた第１係止フック４４の係止鉤部４４ｂが引っ掛かるようになっている。すなわち、各第１係止フック４４は、第２断熱部材４２の係止段部５６ａに対し上下方向で引っ掛かり、第２断熱部材４２が外蓋部材４０の外天板部４０ａから離間するのを規制し、該第２断熱部材４２を保持する。
【００２８】
また、第２断熱部材４２には、図４および図５(ｂ)に示すように、各第２係止フック４６との干渉を回避する凹部５８,５８が設けられている。各凹部５８は、通口５４の後側に位置して、該通口５４に連なって設けられている。
【００２９】
(保持体)
保持体１６は、図３、図４、図７および図８に示すように、蓋体１４の外蓋部材４０と一体に形成されている。保持体１６は、外蓋部材４０の外縁に連なり、該外蓋部材４０の裏側より外れた展開状態(図７、図８(ａ)参照)、すなわち外蓋部材４０と並んだ状態で、外蓋部材４０と一体に形成される。そして、保持体１６は、前述した展開状態から折り返して、外蓋部材４０の裏側に重ねた設置状態(図３、図４、図８(ｂ)参照)に変位可能となっており、外蓋部材４０に連なった設置状態で該外蓋部材４０の裏側に保持されるよう構成されている。外蓋部材４０および保持体１６は、図示省略した成形型により一体に型成形される。
【００３０】
図７および図８に示すように、外蓋部材４０の外縁と保持体１６との境界部には、該外蓋部材４０の外縁にインテグラルヒンジ６０が設けられ、保持体１６は、該インテグラルヒンジ６０で外蓋部材４０に繋がっている。このインテグラルヒンジ６０は、外蓋部材４０の外縁板部４０ｂおよび保持体１６における該インテグラルヒンジ６０に隣接する部分より薄肉に形成された部分であり、直線に延在している。従って、保持体１６は、インテグラルヒンジ６０で折り返すして、展開状態から外蓋部材４０の裏側に重ねた設置状態となる。
【００３１】
保持体１６は、図３、図４、図７および図８に示すように、インテグラルヒンジ６０に連なって設けられた連設部６２と、該連設部６２における外蓋部材４０と反対側に連なって設けられた物品保持部６４とを備えている。連設部６２は、外蓋部材４０における外縁板部４０ｂの後部に沿って左右に延在する板状部分である。また、連設部６２は、保持体１６の設置状態において、外蓋部材４０における外縁板部４０ｂから外天板部４０ａに亘る裏面形状に沿う形状となっている(図８(ｂ)参照)。実施例における連設部６２は、外蓋部材４０および保持体１６の並び方向において階段状に形成されている。なお、連設部６２は、左右のヒンジ部４８,４８の間に位置しており、該連設部６２の左右方向の幅は、外天板部４０ａの左右方向の幅の１／２程度となっている(図１、図７参照)。
【００３２】
(物品保持部)
物品保持部６４は、図３、図４、図７および図８に示すように、連設部６２に連なって設けられた取付板部６６と、取付板部６６における連設部６２と反対側に該取付板部６６に連なって設けられた保持板部７０とを備えている。物品保持部６４は、保持体１６の設置状態において、取付板部６６が、外蓋部材４０の外天板部４０ａに近接した位置から下方に向けて該外天板部４０ａの裏面と交差する向きに延出すると共に、保持板部７０が、外天板部４０ａから下方に離間して位置して、第２断熱部材４２に対向配置される(図８(ｂ)参照)。また、取付板部６６は、第２断熱部材４２の通口５４に挿通した状態に配設されると共に、保持板部７０は、該第２断熱部材４２の裏側(収容空間１２ａ側)に配設される(図３、図４参照)。
【００３３】
(取付板部)
取付板部６６は、図８に示すように、連設部６２側と保持板部７０側とが反対方向へ湾曲している。すなわち、取付板部６６は、保持体１６の設置状態において、連設部６２側が後方へ湾曲すると共に、保持板部７０側が前方へ湾曲している。ここで、取付板部６６の上下方向の幅は、第２断熱部材４２の厚みより僅かに大きくなっている。従って、取付板部６６は、蓋体１４の組み立て状態において、第２断熱部材４２の表側から通口５４を貫通して該第２断熱部材４２の裏側(収容空間１２ａ側)に延出している。
【００３４】
取付板部６６には、図４、図５(ｂ)、図７および図８に示すように、外蓋部材４０に設けた各第２係止フック４６が係止可能な取付部６８が複数(実施例では２つ)形成されている。各取付部６８は、第２係止フック４６の係止突部４６ｂが引っ掛かる形状に形成され、取付板部６６における連設部６２側の湾曲部に、左右に離間して設けられている。実施例の取付部６８は、第２係止フック４６が差し込み可能な矩形状の開口をなし、その左右方向の開口幅が、第２係止フック４６の係止突部４６ｂの左右幅より小さく、前後方向の開口幅が、該係止突部４６ｂの前後幅以上となっている。これにより、各第２係止フック４６は、対応する取付部６８に差し込まれる際に係止突部４６ｂの左右方向の幅が小さくなるように弾性変形して、該取付部６８に挿通可能となる。そして、各第２係止フック４６は、係止突部４６ｂが取付部６８を通過すると元の形状に弾性復帰し、該係止突部４６ｂが取付部６８の左右幅より大きくなることで、取付部６８の開口縁に引っ掛かる。従って、保持体１６は、各第２係止フック４６が各取付部６８に引っ掛かることで、設置状態で該外蓋部材４０の外天板部４０ａに保持される。
【００３５】
(保持板部)
保持板部７０は、図３、図４、図７および図８に示すように、取付板部６６の延出方向と交差する方向へ延在するように形成されている。すなわち、保持板部７０は、保持体１６の設置状態において、取付板部６６の下縁から前方へ延出して、外天板部４０ａの裏面と略平行に延在している。そして、保持板部７０は、蓋体１４の組み立て状態において、第２断熱部材４２の裏面に対向した状態となる。また、保持板部７０は、容器本体１２の出し入れ口１３より小さいサイズに形成されている。実施例の保持板部７０は、前後方向の幅より左右方向の幅が大きい略矩形状をなし、左右方向の幅は、取付板部６６の左右方向の幅と同じである。また、保持板部７０は、取付板部６６側から前方にいくにつれて第２断熱部材４２に徐々に近づくよう僅かに湾曲している(図３、図４参照)。更に、保持板部７０には開口７２が形成されており、保持板部７０より小さいサイズのシート状物品Ｓが該保持板部７０で隠れた状態で保持された際に、開口７２を介して該シート状物品Ｓが視認可能となっている。
【００３６】
保持板部７０は、図３および図４に示すように、各第２係止フック４６と各取付部６８との係止により、取付板部６６が外蓋部材４０の外天板部４０ａに支持された保持体１６の設置状態では、第２断熱部材４２の裏面から離間して配設される。そして、保持板部７０は、第２断熱部材４２の裏面との間に、シート状物品Ｓを出し入れ可能に収容する保持空間７４を画成する。ここで、保持板部７０は、外蓋部材４０の外天板部４０ａに支持された状態で、前縁７０ａ側が、第２断熱部材４２の裏面に対し接離する弾力的な変形が可能に構成されている。
【００３７】
(突片部)
図７に示すように、保持板部７０は、その外縁の一部に、該外縁から第２断熱部材４２の裏面に向け突出した突片部７６を備えている。実施例では、保持板部７０における前縁７０ａから後方へ延在する左側縁７０ｂに、前後に所要長に延在する突片部７６が設けられている。
【００３８】
(突縁部)
図３、図４、図７および図８に示すように、保持板部７０は、その前縁７０ａに、第２断熱部材４２の裏面側へ突出した突縁部(突出部)７８が形成されている。実施例では、保持板部７０の前縁７０ａに、左右に離間して複数(実施例では３つ)の突縁部７８が形成されている。すなわち、保持板部７０の前縁７０ａの左端、右端および左右中央に、突縁部７８が形成されている。左端および右端の突縁部７８は、保持板部７０が第２断熱部材４２側へ湾曲して形成された部分である。また左右中央の突縁部７８は、保持板部７０が第２断熱部材４２側へ膨らむように形成された部分である。
【００３９】
保持体１６の保持板部７０に設けられた突片部７６および各突縁部７８は、第２断熱部材４２に対向する端部が、該第２断熱部材４２の裏側に当接するようになっている。すなわち、保持体１６は、保持板部７０と第２断熱部材４２との間に保持空間７４を画成した状態で、突片部７６および各突縁部７８が第２断熱部材４２に当接する。ここで、突片部７６および各突縁部７８は、保持板部７０に復帰弾力が作用しない自然状態で第２断熱部材４２の裏側に当接するようにしてもよいし、該保持板部７０に復帰弾力が作用した変形状態で第２断熱部材４２の裏側に当接するようにしてもよい。保持体１６の物品保持部６４に復帰弾力が作用しない状態で突片部７６および各突縁部７８を第２断熱部材４２の裏側に当接する構成では、第２断熱部材４２が外蓋部材４０の裏側から離間するのを、保持体１６で適切に規制し得る。また、保持体１６の物品保持部６４に復帰弾力が作用した状態で突片部７６および各突縁部７８を第２断熱部材４２の裏側に当接する構成では、保持体１６により第２断熱部材４２を外蓋部材４０の裏側へ押し付けるようにし得る。なお、各突縁部７８は、保持空間７４に差し込んだシート状物品Ｓを、第２断熱部材４２の裏側に押し付け得る。
【００４０】
(蓋体の組み立てについて)
前述のように構成される蓋体１４は、図９に示す工程にて組み立てられる。すなわち、展開状態で外蓋部材４０と一体に形成された保持体１６は、該展開状態において、保持板部７０および取付板部６６を、別工程で形成した第２断熱部材４２の通口５４に、該第２断熱部材４２の表側から挿通させる(図９(ａ)参照)。そして、保持板部７０と取付板部６６との境界部分に通口５４が位置した状態として、第２断熱部材４２を保持板部７０側へ倒伏させる(図９(ｂ))。これにより、保持体１６の取付板部６６が第２断熱部材４２の通口５４に挿通された状態となる。
【００４１】
次いで、展開状態の保持体１６を、インテグラルヒンジ６０で折り返し、該保持体１６および第２断熱部材４２を一体的に変位させる(図９(ｃ))。ここで、保持体１６を外蓋部材４０の裏側へ重ねる途中に、各第２係止フック４６が、対応する取付部６８に差し込まれて引っ掛かる(図５(ｂ)参照)と共に、各第１係止フック４４が、対応する差し込み口５６に差し込まれて係止段部５６ａに引っ掛かる(図５(ａ)参照)。
【００４２】
これにより、保持体１６は、各第２係止フック４６が各取付部６８に係止されることで、設置状態で外蓋部材４０の外天板部４０ａに保持される。一方、第２断熱部材４２は、各第１係止フック４４が各係止段部４６ａに引っ掛かることで、外蓋部材４０の外天板部４０ａに保持される。また、第２断熱部材４２は、保持体１６の物品保持部７０により、裏側からも保持される。これにより、第２断熱部材４２は、外蓋部材４０の外天板部４０ａと保持体１６の物品保持部７０とで表裏方向で挟まれ、保蓋体１４の開閉時にがたつくことなく保持される。
【００４３】
前述のように構成された実施例の断熱容器１０によれば、外蓋部材４０における外縁板部４０ｂの外縁とインテグラルヒンジ６０を介して繋がる保持体１６が、外蓋部材４０の外縁から該外蓋部材４０と第２断熱部材４２との間を通って、該第２断熱部材４２に出し入れ口１３の開口内側に対応して形成された通口５４を介して第２断熱部材４２の裏側に延出するように配設されているから、第２断熱部材４２における第２当接面５２が形成された外縁部裏側に保持体１６が延在してしない。すなわち、蓋体１４の閉成時に、容器本体１２における出し入れ口１３の開口縁に位置する第１当接面３０に、第２断熱部材４２の外縁部に位置する第２当接面５２が当接する際に、保持体１６が邪魔にならず、第１当接面３０に対して直接当接する第２断熱部材４２により蓋体１４と容器本体１２との間を確実に封止することができる。また、第２断熱部材４２は、蓋体１４の閉成時に、第２当接面５２が第１当接面３０に密着するよう適宜変形し得るため、蓋体１４と容器本体１２との間をより確実に封止することができる。従って、断熱容器１０の良好な断熱性能が得られ、収容空間１２ａに収容した食品Ｂを、温度を維持した状態で保管することができる。
【００４４】
また、外蓋部材４０と保持体１６とを一体形成する構成であるから、外蓋部材４０と保持体１６とを同一の成形型で型成形することが可能となり、外蓋部材４０と保持体１６との夫々に成形型を準備する必要がなく、成形型数が減ると共に型の段取り替えの手間などが減って、製造コストを低減することができる。そして、保持体１６が外蓋部材４０の外縁にインテグラルヒンジ６０を介して繋がり、保持体１６を外蓋部材４０の裏側から外れた展開状態からインテグラルヒンジ６０で折り返して設置状態とする構成であるから、展開状態で型成形することで、型構成を簡単にすることができる。また、保持体１６を展開状態として該保持体１６と外蓋部材４０とを一体形成できるので、外蓋部材４０の裏側の型構造が保持体１６により制約を受けず、第２係止フック４６を、保持体１６の保持に最適な形状および位置に設定でき、該第２係止フック４６の型成形に際して自由度が高い。同様に、外蓋部材４０の裏側の型構造が保持体１６により制約を受けないから、第１係止フック４４を、第２断熱部材４２の保持に最適な形状および位置に設定できる。また、保持体１６を展開状態として該保持体１６と外蓋部材４０とを一体形成できるので、保持体１６の型構造が外蓋部材４０により制約を受けず、該保持体１６を、物品の保持に最適な形状や位置に設定することができる。更に、断熱容器１０を構成する部材点数が減るので、部材管理が容易になる利点もある。  
【００４５】
保持体１６は、インテグラルヒンジ６０により外蓋部材４０の外縁に繋がっていると共に、第２係止フック４６と取付部６８とが引っ掛かることで、外蓋部材４０の裏側へ重ねた設置状態で該外蓋部材４０に安定して保持される。そして、保持空間７４に対してシート状物品Ｓを出し入れする際に、保持体１６の保持板部７０が弾力的に変形して負荷がかかっても、外蓋部材４０に対して該保持体１６が設置状態に保持される。
【００４６】
第２断熱部材４２は、外蓋部材４０の外天板部４０ａに形成された第１係止フック４４と係止段部５６ａとが引っ掛かることで、外蓋部材４０の裏側から離間することなく該外蓋部材４０に保持される。また、第２断熱部材４２は、保持体１６の物品保持部７０により裏側からも保持されるので、外蓋部材４０に対してより一層安定的に保持される。これにより、第２断熱部材４２の裏側から該第２断熱部材４２を保持する別の部材を不要とすることができ、蓋体１４の軽量化が図られる。
【００４７】
保持体１６における物品保持部６４の保持板部７０は、外蓋部材４０の外天板部４０ａに後部側が保持された状態で前縁７０ａ側が、第２断熱部材４２の裏面に対して接離するよう変形するので、保持空間７４に対するシート状物品Ｓの出し入れを簡単かつ容易に行うことができる。そして、保持体１６の物品保持部７０により、保持空間７４に収容したシート状物品Ｓを弾力的に保持し得るので、蓋体１４の開閉時に該シート状物品Ｓが保持空間７４から脱落することを防止し得る。また、シート状物品Ｓを、蓋体１４の前方および右側方から保持空間７４に出し入れすることができるので、該シート状物品Ｓの出し入れの自由度が高い。更に、保持空間７４が前方および右側方に開口しているので、保持板部７０より大きいサイズのシート状物品Ｓの保持も可能である。
【００４８】
(変更例)
本願発明の断熱容器は、実施例に例示したものに限らず、様々に変更が可能である。
（１）断熱容器は、容器本体の前部または側部に出し入れ口が形成されて、蓋体が該容器本体の前部または側部に開閉可能に配設された構成であってもよい。
（２）断熱容器は、蓋体が容器本体にヒンジ接続して開閉するタイプに限らず、蓋体を容器本体に被せるタイプやスライドするタイプ等であってもよい。
（３）保持体は、外蓋部材の外縁における後縁に連なって一体に形成されたものに限らず、該外蓋部材の左縁、右縁または前縁の何れかに連なって一体に形成するようにしてもよい。何れの形態であっても、保持体が外蓋部材の裏側から外れた展開状態で該保持体と外蓋部材とを一体形成した後、保持体を折り返して、該保持体を外蓋部材の裏側へ重ねた設置状態とすることが可能である。
（４）保持体を外蓋部材に保持する固定部は、断熱部材を外蓋部材に保持する係止部と同様に断熱部材に係止するよう構成して、保持体および断熱部材の両方と同時に保持するものであってもよい。
（５）保持体の物品保持部に設けられる突片部は、該物品保持部の左側縁および右側縁の両方に夫々設けるようにしてもよい。また、物品保持部の前縁に設けられる突縁部の数は、実施例に例示した３つに限るものではない。
（６）断熱容器の収容空間に収容する物品は、実施例で例示した食品に限らず、様々な物品が対象とされる。また、蓋体の保持空間に収容する物品は、実施例で例示したシート状物品に限らず、棒状や板状などの様々な物品が対象とされる。
【符号の説明】
【００４９】
１２ 容器本体，１３ 出し入れ口，１４ 蓋体，１６ 保持体，４０ 外蓋部材
４２ 第２断熱部材(断熱部材)，４４ 第１係止フック(係止部)
４６ 第２係止フック(固定部)，５４ 通口，６０ インテグラルヒンジ，６４ 物品保持部
【図１】
2015147600.tif 000003
【図２】
2015147600.tif 000004
【図３】
2015147600.tif 000005
【図４】
2015147600.tif 000006
【図５】
2015147600.tif 000007
【図６】
2015147600.tif 000008
【図７】
2015147600.tif 000009
【図８】
2015147600.tif 000010
【図９】
2015147600.tif 000011